(57)【要約】【課題】皮膚に閉じ込められている老廃物を皮膚の外に円滑に排出すること。【解決手段】超音波振動を用いる皮膚美容装置が開示される。開示された皮膚美容装置は、本体と、前記本体内に設けられて超音波を通じて振動を発生させる超音波発生部と、前記超音波発生部から発せられる超音波振動を受けて皮膚に伝達し、超音波振動により皮膚内に存在する老廃物が皮膚の外に排出できるように空間部を有する振動部材とを含むことを特徴とする。【選択図】図１
2013184057.tif 000002
【特許請求の範囲】
【請求項１】
本体と、前記本体内に設けられて超音波を通じて振動を発生させる超音波発生部と、前記本体の一側に設けられ、前記超音波発生部から発せられる超音波振動を受けて皮膚に伝達する振動部材とを含む皮膚美容装置において、
前記振動部材は、皮膚に超音波振動を伝達する一方で、皮膚との接触部分は最小化し、皮膚との非接触部分は最大化するように筒状となる皮膚接触突起を含むことを特徴とする皮膚美容装置。
【請求項２】
前記振動部材は、皮膚に接触する複数の筒状の皮膚接触突起を備えることを特徴とする請求項１に記載の皮膚美容装置。
【請求項３】
前記複数の筒状の皮膚接触突起は、中央から間隔をおいて放射状に重畳配置されることを特徴とする請求項２に記載の皮膚美容装置。
【請求項４】
前記複数の筒状の皮膚接触突起は、間隔をおいて分散配置されることを特徴とする請求項２に記載の皮膚美容装置。
【請求項５】
前記筒状の皮膚接触突起は、筒状や楕円状及び多角状のいずれか一つであることを特徴とする請求項２ないし４のいずれか一項に記載の皮膚美容装置。
【発明の詳細な説明】
【技術分野】
【０００１】
本発明は、皮膚美容装置に関し、より詳細には、超音波振動により皮膚を刺激することにより、皮膚に閉じ込められている老廃物を外に排出させるだけでなく、血行を良くする皮膚美容装置に関する。
【背景技術】
【０００２】
近年は、超音波振動を用いて顔面肌をマッサージ及びクレンジングし、腹部の肥満等を治療できる皮膚マッサージ機が開発され使用されている。
【０００３】
上記皮膚マッサージ機は、超音波振動を皮膚に伝達することで皮膚を刺激し、皮膚に閉じ込められている老廃物を皮膚の外に排出させ、血行を良くしている。このような皮膚マッサージ機は、通常、超音波振動を発生させる超音波発生部材を備え、この超音波発生部材から皮膚へと超音波振動を伝達するための振動伝達部材を備えている。例えば、韓国登録実用新案第２６５６９１号及び韓国登録特許第８３０５３０号に従来の超音波振動を用いた皮膚マッサージ機が開示されている。
【０００４】
ところが、韓国登録実用新案第２６５６９１号に開示された皮膚マッサージ機の場合、皮膚に直に触れる接触部が円板形状になっている。これにより、皮膚をマッサージする部位から排出される老廃物が円板形状の接触部に押されて円滑な排出を妨げ、マッサージ効果を顕著に低下させる恐れがあるという問題があった。
【０００５】
なお、韓国登録特許第８３０５３０号には、皮膚に接触する振動部材が所定の厚さをもつプレート状になっている。したがって、皮膚マッサージ機を使用する場合、振動部材の一辺が皮膚に接触した状態で使用する。このような使用方法により、マッサージ師はマッサージ部位の多様な屈曲に応じて振動部材の接触する角度を小まめに変えなければならないため、不便であった。
【先行技術文献】
【特許文献】
【０００６】
【特許文献１】韓国登録実用新案第２６５６９１号
【特許文献２】韓国登録特許第８３０５３０号
【発明の概要】
【発明が解決しようとする課題】
【０００７】
そこで、本発明は、上記問題に鑑みてなされたものであり、本発明の目的とするところは、振動部材の複数の皮膚接触突起を備え、各突起間で間隔をおいて配列することにより、皮膚に閉じ込められている老廃物が超音波振動により、皮膚の外に円滑に排出できるようにする皮膚美容装置を提供することにある。
【０００８】
本発明のもう一つの目的は、複数の皮膚接触突起を放射状に重畳配置したり、分散配置することにより、マッサージ部位に応じて変わる多様な屈曲に対して振動部材を特定の角度に調節するという手間を省く皮膚美容装置を提供することにある。
【課題を解決するための手段】
【０００９】
前記目的を解決するための本発明は、本体と、前記本体内に設けられて超音波を通じて振動を発生させる超音波発生部と、前記超音波発生部から発せられる超音波振動を受けて皮膚に伝達し、超音波振動により皮膚内に存在する老廃物が皮膚の外に排出できるように空間部を有する振動部材とを含むことを特徴とする皮膚美容装置である。
【００１０】
前記振動部材は、皮膚に接触する筒状となる皮膚接触突起を含んでよい。
【００１１】
前記振動部材は、皮膚に接触する複数の筒状の皮膚接触突起を備えてよい。この場合、前記複数の筒状の皮膚接触突起は、中央から間隔をおいて放射状に重畳配置されてよい。なお、前記複数の筒状の皮膚接触突起は、間隔をおいて分散配置されてよい。
【００１２】
前記筒状の皮膚接触突起は、筒状や楕円状及び多角状のいずれか一つであってよい。
【発明の効果】
【００１３】
以上説明したように本発明によれば、皮膚に接触する振動部材の複数の皮膚接触突起は、各突起間に空間部が形成されることにより、皮膚マッサージの際、超音波振動により皮膚に閉じ込められている老廃物が皮膚の外に排出され、空間部に入り込むことにより、皮膚からの老廃物排出が円滑に行われるという長所がある。
【００１４】
なお、本発明は、複数の筒状の皮膚接触突起は放射状に重畳配置されるか、分散配置されるいるため、マッサージ部位に応じて変わる多様な屈曲に対して振動部材を特定の角度に調節するという手間なく、皮膚美容装置を自然な把持状態で手軽に皮膚マッサージ及びクレンジングを行うことができる。
【図面の簡単な説明】
【００１５】
【図１】本発明の第１実施形態に係る皮膚美容装置を示す斜視図である。
【図２】本発明の第１実施形態に係る皮膚美容装置を示す斜視図である。
【図３】本発明の第１実施形態に係る皮膚美容装置を示す一部切欠き側面図である。
【図４】本発明の第２実施形態に係る皮膚美容装置を示す斜視図である。
【発明を実施するための形態】
【００１６】
以下に添付図面を参照しながら、本発明の第１及び第２実施形態に係る皮膚美容装置について詳細に説明する。ただし、本発明を説明していく上で、本発明に関連する公知技術に対する具体的な説明が、本発明の要旨を不要に曖昧にする恐れがあると判断される場合には、その詳細な説明を省略する。
【００１７】
図１ないし図３を参照すると、本発明の第１実施形態に係る皮膚美容装置は、本体１０と、超音波発生部３０及び振動部材５０を含む。
【００１８】
本体１０は、超音波発生部３０及び振動部材５０が設けられるヘッド部１１とヘッド部１１の一側に延設された把持部１３を含む。
【００１９】
ヘッド部１１は、図３のように、内側に超音波発生部３０が設けられ、超音波発生部３０と密着した状態で接触された振動部材５０が設けられる。この場合、振動部材５０は、超音波発生部３０から発せられる超音波振動を直接受けて皮膚に伝達する。なお、ヘッド部１１は、振動部材５０が設置された側の反対側には作動ボタン１５が設けられる。作動ボタン１５は、超音波発生部３０をオン／オフするための電源ボタンに該当する。
【００２０】
把持部１３は、ユーザが把持する部分として、内側には複数の電子素子が実装されたＰＣＢ（図示せず）が設けられる。なお、把持部１３は、図２のように、外部電源を内部のＰＣＢに供給するための電源端子１７が設けられる。この場合、端子はＵＳＢ端子でなされてよく、この場合、周辺のコンピュータから手軽に電源供給を受けることができる。
【００２１】
超音波発生部３０は、ＰＣＢから電源供給を受けて超音波振動を行う。超音波発生部３０は、一側に振動部材５０の一側面と面接触して超音波振動を振動部材５０に伝達する。
【００２２】
振動部材５０は、一部がヘッド部１１に組み合わせられて超音波振動の際にも、ヘッド部１１から取り外されることはない。このような振動部材５０は、皮膚と接触する側に所定を長さをもつ複数の筒状の皮膚接触突起５１〜５４が重畳形成される。すなわち、振動部材５０は、皮膚に超音波振動を伝達する一方で、皮膚との接触部分は最小化し、皮膚との非接触部分は最大化するように筒状となる皮膚接触突起を含む。
【００２３】
即ち、複数の筒状の皮膚接触突起５１〜５４は、振動部材５０の中央に突設された皮膚接触突起５１から、その外側へと所定の間隔をおいて徐々に直径が大きくなる皮膚接触突起５２〜５４が順次に囲むように配置される。
【００２４】
この場合、複数の皮膚接触突起５１〜５４の間には、空間部Ｓが形成され、この空間部Ｓは振動部材５０が皮膚をマッサージする際、超音波振動により、皮膚に閉じ込められている老廃物が自然と皮膚の外に排出できるように老廃物の排出を妨げないようにする役割を果たす。
【００２５】
なお、複数の筒状の皮膚接触突起５１〜５４は、放射状に配置されているため、マッサージ部位に応じて変わる多様な屈曲に対して振動部材５０を特定の角度に調節するという手間なく、皮膚美容装置を自然な把持状態で手軽に皮膚マッサージを行うことができる。
【００２６】
図４を参照すると、本発明の第２実施形態に係る皮膚美容装置において、振動部材６０を除く残りの構成は、いずれも第１実施形態の皮膚美容装置と同様に行われる。従って、第１実施形態と同じ構成に対しては、その説明を省略し、振動部材６０についてのみ説明する。
【００２７】
振動部材６０は、図４のように、複数の皮膚接触突起６１、６２のいずれか一方が振動部材６０の中央に配置され、その皮膚接触突起６１を中心に複数の皮膚接触突起６２が分散配置される。この場合にも、複数の皮膚接触突起６１、６２は、各皮膚接触突起６１、６２の間に所定の空間部Ｓを形成するように離隔配置されるため、超音波振動により、皮膚に閉じ込められている老廃物が空間部Ｓによって自然と皮膚の外に排出できるようになる。
【００２８】
一方、上述の第１及び第２実施形態においては、振動部材５０の複数の皮膚接触突起５１〜５４が筒状になっているものとして説明してきたが、それに限られず、楕円状や多角状等多様な形状となっていてよい。
【００２９】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【００３０】
１０  本体
１１  ヘッド部
１３  把持部
１５  作動ボタン
１７  電源端子
３０  超音波発生部
５０  振動部材
５１〜５４、６１、６２  皮膚接触突起
【図１】
2013184057.tif 000003
【図２】
2013184057.tif 000004
【図３】
2013184057.tif 000005
【図４】
2013184057.tif 000006
【手続補正書】
【提出日】平成25年4月30日(2013.4.30)
【手続補正１】
【補正対象書類名】特許請求の範囲
【補正対象項目名】全文
【補正方法】変更
【補正の内容】
【特許請求の範囲】
【請求項１】
本体と、前記本体内に設けられて超音波を通じて振動を発生させる超音波発生部と、前記本体の一側に設けられ、前記超音波発生部から発せられる超音波振動を受けて皮膚に伝達する振動部材とを含む皮膚美容装置において、
前記振動部材は、皮膚に超音波振動を伝達するために、一体に形成された筒状となる複数の皮膚接触突起を前記本体の一側から延設し、
前記複数の筒状の皮膚接触突起は、中央から間隔をおいて放射状に重畳配置されることを特徴とする皮膚美容装置。
【請求項２】
前記複数の筒状の皮膚接触突起は、間隔をおいて分散配置されることを特徴とする請求項１に記載の皮膚美容装置。
【請求項３】
前記筒状の皮膚接触突起は、筒状や楕円状及び多角状のいずれか一つであることを特徴とする請求項１または請求項２に記載の皮膚美容装置。